(57)【要約】  伝送装置１００は、各ＮＥが属するグループを示す設定情報を記憶しており、光信号を受信した場合に、受信した光信号に含まれる監視制御情報の宛先と設定情報とを基にして、監視制御情報を終端するか否かを判定し、判定結果に応じた宛先を設定すると共に監視制御情報を含んだEtherフレームを生成する。そして、伝送装置１００は、Ethernet（登録商標）フレーム通信機能を利用して、生成されたフレームの通信経路を切り替え、各ＮＥに監視制御情報を転送する。
2009022412.tif 000002
【特許請求の範囲】
【請求項１】
制御情報を含んだ光信号を送受信してエリアごとに管理された装置を制御する光ネットワークにおいて、前記光信号を伝送する伝送処理部を複数備えた伝送装置であって、
前記伝送処理部は、
前記エリアに含まれる複数の装置が属するグループを示す設定情報を記憶する設定情報記憶手段と、
前記光信号を受信した場合に、前記設定情報を基にして前記制御情報を終端するかパススルーするかを判定し、判定結果に応じた宛先を設定すると共に前記制御情報を含んだフレームを生成するフレーム生成手段と、
前記フレームの宛先を基にして当該フレームの経路を切り替える経路切替手段と、
を備えたことを特徴とする伝送装置。
【請求項２】
前記経路切替手段は、レイヤ２スイッチの機能を有し、前記フレームに設定された宛先を基にして前記フレームの経路を切り替えることを特徴とする請求項１に記載の伝送装置。
【請求項３】
前記フレーム生成手段は、前記フレームに論理的なチャネルを割り当てることを特徴とする請求項１または２に記載の伝送装置。
【請求項４】
制御情報を含んだ光信号を送受信してエリアごとに管理された装置を制御する光ネットワークにおいて、前記光信号を伝送する伝送装置の伝送方法であって、
前記エリアに含まれる複数の装置が属するグループを示す設定情報を記憶装置に記憶する設定情報記憶工程と、
前記光信号を受信した場合に、前記設定情報を基にして前記制御情報を終端するかパススルーするかを判定し、判定結果に応じた宛先を設定すると共に前記制御情報を含んだフレームを生成するフレーム生成工程と、
前記フレームの宛先を基にして当該フレームの経路を切り替える経路切替工程と、
を含んだことを特徴とする伝送方法。
【請求項５】
前記経路切替工程は、レイヤ２スイッチを利用し、前記フレームに設定された宛先を基にして前記フレームの経路を切り替えることを特徴とする請求項４に記載の伝送方法。
【請求項６】
前記フレーム生成工程は、前記フレームに論理的なチャネルを割り当てることを特徴とする請求項４または５に記載の伝送方法。
【発明の詳細な説明】
【技術分野】
【０００１】
本発明は、制御情報を含んだ光信号を送受信してエリアごとに管理された装置を制御する光ネットワークにおいて、前記光信号を伝送する伝送処理部を複数備えた伝送装置等に関するものである。
【背景技術】
【０００２】
近年、ＳＯＮＥＴ／ＳＤＨ（Synchronous  Optical  NETwork/Synchronous  Digital  Hierarchy）ネットワークにおいて、複数の伝送装置（ＮＥ；Network  Element）を監視・制御する監視・制御システムは、ＤＣＮ（Data  Communication  Network）を構築している（例えば、特許文献１参照）。図９は、従来のＤＣＮの構成を示す図である。【０００３】
図９に示すように、ＤＣＮ内の各ＮＥは、エリア管理されており、各エリア１０〜３０には、エリア間に跨る通信のためにGateway装置（ＧＮＥ）１１，２１，３１が配備され、エリアごとに、ＮＥ１２〜１４，２２〜２４，３２〜３４を管理することが可能となる。そして、図９に示すような構造を持つことで、ＤＣＮ内の全ＮＥ間で監視制御用情報（ＮＥを監視または制御するための情報）を伝達することを可能とし、また、各ＮＥを複数のエリアに分けて管理することで、各ＮＥの管理が複雑になることを防止している。【０００４】
一方、図９に示すように、各ＮＥを複数のエリアに分けて管理することで、各ＮＥの管理が複雑になることを防止しているが、各エリア内で管理することができるＮＥの数に制限があり、かかる制限を超えてＮＥを接続した場合には、接続されたＮＥとの通信が途絶え、非監視状態に陥るという問題が発生する。【０００５】
上記した問題を解消するために、ＤＣＮ内において、エリア内のＮＥの数が制限を上回った場合に、ＤＣＮを分割することで、管理可能なＮＥ数を増加させるという試みがなされている。ＤＣＮの分割を実施するため、各ＮＥは、分割するＤＣＮに属するＮＥから受信した監視制御用情報を、自身のＮＥでは終端せず、分割する他のＮＥに送信する。【０００６】
図１０は、ＤＣＮの分割を説明するための図である（図１０においてＧＮＥは省略する）。同図に示す例では、エリア４０にＮＥ４１〜４６が含まれ、ＮＥ４１〜４４のグループ（ＤＣＮ４０ａ）と、ＮＥ４５，４６のグループ（ＤＣＮ４０ｂ）に分割されている場合を示している。【０００７】
図１０に示すように、ＤＣＮが分割されている場合において、ＮＥ４４は、監視制御用情報をＮＥ４１〜４３から受信した場合には、受信した監視制御用情報を終端する。一方、ＮＥ４４は、監視制御用情報をＮＥ４５，４６から受信した場合には、受信した監視制御用情報をパススルーする（ＮＥ４４は、ＮＥ４５から受信した監視制御用情報を、ＮＥ４６にパススルーし、ＮＥ４６から受信した監視制御用情報を、ＮＥ４５にパススルーする）。【０００８】
なお、上述したＮＥは、多様な顧客サービスを提供するために、様々なサービス形態に合わせて伝送装置の構成をフレキシブルに変更可能とすることが求められており、単一の終端処理部によって終端・監視制御を実行する集中制御構成や、複数の終端処理部によって、終端・監視制御を実行する分散制御構成などが考案されている。【０００９】
【特許文献１】国際公開第２００２／０４５３５２号パンフレット
【発明の開示】
【発明が解決しようとする課題】
【００１０】
しかしながら、上述した集中制御構成によってＤＣＮを分割する場合には、ＮＥ（伝送装置）にかかる処理負荷が増大するという問題があり、処理負荷を軽減させるべく、分散制御機構によってＤＣＮを分割する場合には、ＮＥ内の信号配線の複雑化を招くという問題があった。【００１１】
すなわち、ＤＣＮ分割にかかる処理負荷を分散させるという分散制御構成の利点を失わず、ＮＥ内の信号配線の複雑化を防止することが極めて重要な課題となっている。【００１２】
本発明は、上記に鑑みてなされたものであって、ＤＣＮ分割にかかる処理負荷を分散させるという分散制御構成の利点を失わず、ＮＥ内の信号配線の複雑化を防止することができる伝送装置および伝送方法を提供することを目的とする。
【課題を解決するための手段】
【００１３】
上述した課題を解決し、目的を達成するために、本発明は、制御情報を含んだ光信号を送受信してエリアごとに管理された装置を制御する光ネットワークにおいて、前記光信号を伝送する伝送処理部を複数備えた伝送装置であって、前記伝送処理部は、前記エリアに含まれる複数の装置が属するグループを示す設定情報を記憶する設定情報記憶手段と、前記光信号を受信した場合に、前記設定情報を基にして前記制御情報を終端するかパススルーするかを判定し、判定結果に応じた宛先を設定すると共に前記制御情報を含んだフレームを生成するフレーム生成手段と、前記フレームの宛先を基にして当該フレームの経路を切り替える経路切替手段と、を備えたことを特徴とする。【００１４】
また、本発明は、上記発明において、前記経路切替手段は、レイヤ２スイッチの機能を有し、前記フレームに設定された宛先を基にして前記フレームの経路を切り替えることを特徴とする。【００１５】
また、本発明は、上記発明において、前記フレーム生成手段は、前記フレームに論理的なチャネルを割り当てることを特徴とする。【００１６】
また、本発明は、制御情報を含んだ光信号を送受信してエリアごとに管理された装置を制御する光ネットワークにおいて、前記光信号を伝送する伝送装置の伝送方法であって、前記エリアに含まれる複数の装置が属するグループを示す設定情報を記憶装置に記憶する設定情報記憶工程と、前記光信号を受信した場合に、前記設定情報を基にして前記制御情報を終端するかパススルーするかを判定し、判定結果に応じた宛先を設定すると共に前記制御情報を含んだフレームを生成するフレーム生成工程と、前記フレームの宛先を基にして当該フレームの経路を切り替える経路切替工程と、を含んだことを特徴とする。【００１７】
また、本発明は、上記発明において、前記経路切替工程は、レイヤ２スイッチを利用し、前記フレームに設定された宛先を基にして前記フレームの経路を切り替えることを特徴とする。
【発明の効果】
【００１８】
本発明によれば、エリアに含まれる複数の装置が属するグループを示す設定情報を記憶し、光信号を受信した場合に、設定情報を基にして制御情報を終端するかパススルーするかを判定し、判定結果に応じた宛先を設定すると共に制御情報を含んだフレームを生成し、フレームの宛先を基にして当該フレームの経路を切り替えるので、複数の伝送装置（ＮＥ）を複数のグループに分割した場合であっても、終端処理にかかる負荷を分散させるという分散制御構成の利点を失わず、ＮＥ内の信号配線の複雑化を防止することができる。【００１９】
また、本発明によれば、レイヤ２スイッチの機能を有し、フレームに設定された宛先を基にしてフレームの経路を切り替えるので、制御情報の終端処理およびパススルー処理を簡素化することができる。【００２０】
また、本発明によれば、記フレーム生成手段は、フレームに論理的なチャネルを割り当てるので、御情報の終端処理およびパススルー処理を効率よく実行することができる。
【図面の簡単な説明】
【００２１】
【図１】図１は、本実施例にかかる伝送装置の構成を示す機能ブロック図である。
【図２】図２は、Sonet  frame終端部の構成を示す機能ブロック図である。
【図３】図３は、ＤＣＣ終端部の構成を示す機能ブロック図である。
【図４】図４は、Etherフレームのデータ構造の一例を示す図である。
【図５】図５は、ＤＣＣチャネルと物理ポートとＤＣＣタイプとの関係を示す図である。
【図６】図６は、設定情報のデータ構造の一例を示す図である。
【図７】図７は、本実施例にかかる伝送装置の受信処理を示すフローチャートである。
【図８】図８は、本実施例にかかる伝送装置の送信処理を示すフローチャートである。
【図９】図９は、従来のＤＣＮの構成を示す図である。
【図１０】図１０は、ＤＣＮの分割を説明するための図である。
【図１１】図１１は、光信号のフォーマットの一例を示す図である。
【図１２】図１２は、集中制御構成をとる従来の伝送装置の構成を示す機能ブロック図である。
【図１３】図１３は、分散制御構成をとる従来の伝送装置の構成を示す機能ブロック図である。
【符号の説明】
【００２２】
１０，２０，３０，４０    エリア
１１，２１，３１    ＧＮＥ
１２，１３，１４，２２，２３，２４，３２，３３，３４，４１，４２，４３，４４，４５，４６，５０，６０，６１，６２，６３，６４，７０，８０，８１，８２，８３，８４，１００，２０１，２０２，２０３，２０４，２０５    伝送装置（ＮＥ）
４０ａ，４０ｂ，５０ａ，５０ｂ，７０ａ，７０ｂ，１００ａ，１００ｂ  ＤＣＮ
５１，５２，５３，５４，５５，７１，７２，７３，７４，７５，１１０，１２０，１３０，１４０，１５０    主信号部
５１ａ，５２ａ，５３ａ，５４ａ，５５ａ，７１ａ，７２ａ，７３ａ，７４ａ，７５ａ，１１１ａ  DCC  Drop部
５１ｂ，５２ｂ，５３ｂ，５４ｂ，５５ｂ，７１ｂ，７２ｂ，７３ｂ，７４ｂ，７５ｂ，１１１ｂ  DCC  Add部
５６，７１ｃ，７２ｃ，７３ｃ，７４ｃ，７５ｃ、１１２，１２２，１３２，１４２，１５２    ＤＣＣ終端部
７１ｄ，７２ｄ，７３ｄ，７４ｄ，７５ｄ、１１４，１２４，１３４，１４４，１５４  監視制御部
７６，１６０    装置監視制御部
１１１，１２１，１３１，１４１，１５１    Sonet  frame終端部
１１２ａ  ＨＤＬＣ組立部
１１２ｂ  Etherフレームカプセリング部
１１２ｃ  Etherフレームデカプセリング部
１１２ｄ  ＨＤＬＣ分割部
１１３，１２３，１３３，１４３，１５３    Layer2  SW部
【発明を実施するための最良の形態】
【００２３】
以下に、本発明にかかる伝送装置の実施例を図面に基づいて詳細に説明する。なお、この実施例によりこの発明が限定されるものではない。
【実施例】
【００２４】
まず、本実施例にかかる伝送装置の説明を行う前に、ＳＯＮＥＴ／ＳＤＨ（Synchronous  Optical  NETwork/Synchronous  Digital  Hierarchy）ネットワーク上で送受信される光信号（ＳＯＮＥＴフレーム）のフォーマットを説明すると共に、集中制御構成をとる従来の伝送装置と分散制御構成をとる従来の伝送装置との構成について説明する。【００２５】
図１１は、光信号のフォーマットの一例を示す図である。図中のＤ１〜Ｄ３Byteを、SectionDCCと定義し、Ｄ４〜Ｄ１２Byteを、LineDCCと定義する。そして、SectionDCCおよびLineDCCを合わせてOverhead  Byteと定義する。かかるOverhead  Byteには、ＤＣＮに含まれる伝送装置（ＮＥ）を監視・制御する監視制御情報等が割り当てられる（ＤＣＮは、各ＮＥ間で終端される光信号インターフェース上のフレームフォーマット中のＤＣＣ（Data  Communication  Channel）にて構築され、ネットワークおよび装置の監視・制御情報の伝送を行う）。【００２６】
続いて、集中制御構成をとる従来の伝送装置（ＮＥ）の構成について説明する。図１２は、集中制御構成をとる従来の伝送装置の構成を示す機能ブロック図である。同図に示すように、この伝送装置（ＮＥ）５０は、主信号部５１〜５５と、ＤＣＣ終端部５６とを備えて構成される。また、伝送装置５０は、ＮＥ６０〜６４に接続されており、ＮＥ６０〜６２，５０のグループ（ＤＣＮ５０ａ）と、ＮＥ６３，６４のグループ（ＤＣＮ５０ｂ）とに分割されているものとする。【００２７】
主信号部５１は、光信号を電気信号に変換および電気信号を光信号に変換する処理、光信号のOverhead  Byteに対する監視制御情報の抽出・挿入処理を実行する処理部であり、DCC  Drop部５１ａと、DCC  Add部５１ｂとを備える（主信号部５２〜５５にかかる説明は、主信号部５１にかかる説明と同様であるため説明を省略する）。【００２８】
DCC  Drop部５１ａは、外部から光信号を受信した場合に、光信号を電気信号に変換すると共に、光信号のOverhead  Byteから監視制御情報を抽出する処理部である。DCC  Add部５１ｂは、ＤＣＣ終端部５６から監視制御情報を取得した場合に、光信号のOverhead  Byteに、取得した監視制御情報を挿入し、かかる光信号を出力する処理部である。【００２９】
ＤＣＣ終端部５６は、主信号部５１〜５５から監視制御情報を取得した場合に、取得した監視制御情報を終端するか否かを判定し、判定結果に応じて監視制御情報を終端する処理部である。例えば、図１２のように各ＮＥ６０〜６４がグループ分けされている状況下において、ＮＥ６０〜６２から受信した監視制御情報に対しては終端処理を行い、ＮＥ６３〜ＮＥ６４から受信した監視制御情報に対してはパススルーする（ＤＣＣ終端部５６は、ＮＥ６３から受信した監視制御用情報を、ＮＥ６４にパススルーし、ＮＥ６４から受信した監視制御用情報を、ＮＥ６３にパススルーする）。【００３０】
集中制御構成における伝送装置５０は、上述したように、単一のＤＣＣ終端部５６によって、監視制御情報に対する終端処理あるいはパススルーを実現しているが、各主信号部５１〜５５の様々な設定情報と連動してかかる処理を実行する必要があるため、ＤＣＣ終端部５６の負担が大きく、ある程度の処理性能が求められ、伝送装置５０のコスト増加を招くという問題ある。【００３１】
続いて、分散制御構成をとる従来の伝送装置（ＮＥ）の構成について説明する。図１３は、分散制御構成をとる従来の伝送装置の構成を示す機能ブロック図である。同図に示すように、この伝送装置７０は、主信号部７１〜７５と、装置監視制御部７６とを備えて構成される。また、伝送装置７０は、ＮＥ８０〜８４に接続されており、ＮＥ８０〜８２，７０のグループ（ＤＣＮ７０ａ）と、ＮＥ８３，８４のグループ（ＤＣＮ７０ｂ）とに分割されているものとする。【００３２】
主信号部７１は、光信号を電気信号に変換および電気信号を光信号に変換する処理、光信号のOverhead  Byteに対する監視制御情報の抽出・挿入処理、監視制御情報を終端するか否かを判定する処理などを実行する処理部であり、DCC  Drop部７１ａと、DCC  Add部７１ｂと、ＤＣＣ終端部７１ｃと、監視制御部７１ｄとを備える（主信号部７２〜７５にかかる説明は、主信号部７１にかかる説明と同様であるため説明を省略する）。【００３３】
DCC  Drop部７１ａは、外部から光信号を受信した場合に、光信号を電気信号に変換すると共に、光信号のOverhead  Byteから監視制御情報を抽出する処理部である。DCC  Add部７１ｂは、ＤＣＣ終端部７１ｃから監視制御情報を取得した場合に、光信号のOverhead  Byteに、取得した監視制御情報を挿入し、かかる光信号を出力する処理部である。【００３４】
ＤＣＣ終端部７１ｃは、DCC  Drop部から監視制御情報を取得した場合に、監視制御情報を終端するか否かを判定し、判定結果に応じて監視制御情報を監視制御部７１ｄあるいは装置監視制御部７６に出力する処理部である。ＤＣＣ終端部７１ｃは、監視制御情報を終端すると判定した場合には、監視制御情報を監視制御部７１ｄに出力し、監視制御情報をパススルーすると判定した場合には、監視制御情報を装置監視制御部７６に出力する。【００３５】
監視制御部７１ｄは、主信号部７１に設定されている各種情報や主信号部７１の状態を監視する処理部である。また監視制御部７１ｄは、監視制御情報を取得した場合に、監視制御情報の送信元に対して、主信号部７１の状態や設定情報等を送信する。【００３６】
装置監視制御部７６は、伝送装置７０全体を監視制御する処理部であり、例えば、各監視制御部７１ｄ〜７５ｄとの間で各種制御情報を送受信して、主信号部７１〜７５の監視を行い、障害などを検出した場合には、アラームを上げる。また、装置監視制御部７６は、パススルー対象となる監視制御情報を取得した場合には、取得した監視制御情報を対応する主信号部に出力する。例えば、主信号部７４からパススルー対象となる監視制御情報を取得した場合には、かかる監視制御情報を主信号部７５に出力する。【００３７】
分散制御構成における伝送装置７０は、上述したように、各主信号部７１がそれぞれ監視制御情報の終端処理を実行するので、かかる終端処理にかかる負担を分散させることが可能となるが、伝送装置７０内の信号配線の増加および各処理部が実行すべき処理の内容が複雑になるという問題がある。【００３８】
次に、本実施例にかかる伝送装置（ＮＥ）について説明する。本実施例にかかる伝送装置は、各ＮＥが属するグループを示す設定情報を記憶しており、光信号を受信した場合に、前記設定情報を基にして、監視制御情報を終端するか否かを判定し、判定結果に応じた宛先を設定すると共に監視制御情報を含んだフレームを生成する。そして、伝送装置は、Ethernet（登録商標）フレーム通信機能を利用して、生成されたフレームの通信経路を切り替え、各ＮＥに監視制御情報を転送する。【００３９】
このように、本実施例にかかる伝送装置は、監視制御情報を終端するか否かの判定結果に応じてフレームの宛先を設定し、Ethernet（登録商標）フレーム通信機能を利用してフレームの通信経路を切り替えて監視制御情報を各ＮＥに転送するので、ＮＥを複数のグループに分割した場合であっても、終端処理にかかる負荷を分散させるという分散制御構成の利点を失わず、ＮＥ内の信号配線の複雑化を防止することができる。【００４０】
続いて、本実施例にかかる伝送装置（ＮＥ）の構成について説明する。図１は、本実施例にかかる伝送装置の構成を示す機能ブロック図である。同図に示すように、この伝送装置１００は、主信号部１１０〜１５０と、装置監視制御部１６０とを備えて構成される。また、伝送装置１００は、ＮＥ２０１〜２０５に接続されており、ＮＥ２０１〜２０３，１００のグループ（ＤＣＮ１００ａ）と、ＮＥ２０４，２０５のグループ（ＤＣＮ１００ｂ）とに分割されているものとする。【００４１】
主信号部１１０は、光信号を電気信号に変換および電気信号を光信号に変換する処理、光信号のOverhead  Byteに対する監視制御情報の抽出・挿入処理、監視制御情報を終端するか否かを判定してフレームを生成する処理、フレームの経路を切り替える処理などを実行する処理部であり、Sonet  frame終端部１１１と、ＤＣＣ終端部１１２と、Layer2  SW部１１３と、監視制御部１１４とを備える（主信号部１２０〜１５０にかかる説明は、主信号１１０にかかる説明と同様であるため説明を省略する）。【００４２】
Sonet  frame終端部１１１は、光信号のOverhead  Byteに対する監視制御情報の抽出・挿入処理を実行する処理部である。図２は、Sonet  frame終端部１１１の構成を示す機能ブロック図である。同図に示すように、このSonet  frame終端部１１１は、DCC  Drop部１１１ａと、DCC  Add部１１１ｂとを備える。【００４３】
DCC  Drop部１１１ａは、光信号を外部から取得した場合に、取得した光信号のフレーム（ＳＯＮＥＴフレーム；図１１参照）のＤ１〜Ｄ３Byteを抜き出して、１９２Kb/sのシリアルデータを生成し（あるいは、Ｄ４〜Ｄ１２Byteを抜き出して、５７６Kb/sのシリアルデータを生成し）、生成したシリアルデータをＤＣＣ終端部１１２に出力する。かかるシリアルデータには、監視制御情報が含まれているものとする。【００４４】
DCC  Add部１１１ｂは、監視制御情報等を含んだシリアルデータをＤＣＣ終端部１１２から取得した場合に、取得したシリアルデータを光信号のＤ１〜Ｄ３Byteに挿入し（あるいは、Ｄ４〜Ｄ１２Byteに挿入し）、かかる光信号を出力する処理部である。【００４５】
図１の説明に戻ると、ＤＣＣ終端部１１２は、Sonet  frame終端部からシリアルデータを取得した場合に、設定情報を基にして、終端処理を実行するか否かを判定し、判定結果に応じた宛先を設定したフレームを生成する処理部である。【００４６】
図３は、ＤＣＣ終端部１１２の構成を示す機能ブロック図である。同図に示すように、このＤＣＣ終端部１１２は、ＨＤＬＣ組立部１１２ａと、Etherフレームカプセリング部１１２ｂと、Etherフレームデカプセリング部１１２ｃと、ＨＤＬＣ分割部１１２ｄとを備える。【００４７】
ＨＤＬＣ組立部１１２ａは、Sonet  frame終端部１１１からシリアルデータを取得した場合に、取得したシリアルデータからＨＤＬＣフレームを抽出する処理部である。かかるＨＤＬＣフレームには、監視制御情報が含まれているものとする。ＨＤＬＣ組立部１１２ａは、抽出したＨＤＬＣフレームをEtherフレームカプセリング部１１２ｂに出力する。【００４８】
Etherフレームカプセリング部１１２ｂは、ＨＤＬＣフレームを取得した場合に、取得したＨＤＬＣフレームと設定情報とを基にしてＨＤＬＣフレームを終端するか否かを判定し、判定結果に応じてEtherフレームを生成する処理部である。【００４９】
図４は、Etherフレームのデータ構造の一例を示す図である。同図に示すように、このEtherフレームは、Preamble/SFDと、InternalDAと、InternalSAと、InternalVLANと、Typeと、Data（LogicalNo、Length、HDLCフレーム）と、FCSとを備える。【００５０】
このうち、InternalDAは、Etherフレームの宛先のＭＡＣアドレスが格納される領域であり、InternalSAは、Etherフレームの送信元のＭＡＣアドレスが格納される領域であり、InternalVLANは、利用するＶＬＡＮを識別する情報が格納される領域である。【００５１】
また、LogicalNoは、ＨＤＬＣフレームに割り当てられる論理的なチャネル番号が格納される領域である。例えば、物理ポートが８個存在し、各物理ポート当たり２タイプ（ＤＣＣタイプ；Section  DCC／Line  DCC）の監視制御用情報が存在する場合には、図５に示すように、論理的なＤＣＣチャネルは１６個となる。図５は、ＤＣＣチャネルと物理ポートとＤＣＣタイプとの関係を示す図である。Etherフレームに設定されるLogicalNoは、予め設定されているものとする。【００５２】
Lengthは、ＨＤＬＣフレームのデータ長が格納される領域であり、HDLCフレームは、ＨＤＬＣフレームそのものが格納される領域である。なお、Preamble/SFD、Type、FCSに関する説明は、従来のEtherフレームにかかるPreamble/SFD、Type、FCSと同様であるため説明を省略する。【００５３】
ところで、設定情報は、各ＮＥが属するグループ情報を管理するための情報であり、監視制御情報の宛先となるＮＥを識別する情報と、Etherフレームに設定すべき各種情報を対応付けて記憶している。かかる設定情報は、装置監視制御部１６０中の図示しない制御部によって適宜（あるいは、一定時間ごとに）更新される。なお、設定情報は、監視制御部１１４に記憶されているものとする。【００５４】
図６は、設定情報のデータ構造の一例を示す図である。同図に示すように、この設定情報は、LogicalNoと、グループ識別情報と、宛先ＭＡＣアドレスと、送信元ＭＡＣアドレスと、ＶＬＡＮ識別情報と、タイプとを備える。【００５５】
グループ識別情報は、各ＮＥが属するグループを示す情報である。例えば、グループＤＣＮ１１０ａがGroup１に対応し、グループＤＣＮ１１０ｂがGroup２に対応しているものとする。すなわち、ＮＥ２０１〜２０３，１００がGroup１に属しており、ＮＥ２０４，２０５がGroup２に属しているものとする。また、宛先ＭＡＣアドレス、送信元ＭＡＣアドレス、ＶＬＡＮ識別情報、タイプは、Etherフレームにそれぞれ設定される各種情報を格納している。【００５６】
なお、宛先ＭＡＣアドレスの運用系にかかるアドレス「Ａ１」は、監視制御部１１４のＭＡＣアドレスに対応し、アドレス「Ａ２」は、装置監視制御部１６０のＭＡＣアドレスに対応するものとする。また、宛先ＭＡＣアドレスの待機系にかかるアドレス「Ｂ１」は、予備用の監視制御部（図示略）のＭＡＣアドレスに対応し、アドレス「Ｂ２」は、予備用の装置監視制御部（図示略）のＭＡＣアドレスに対応するものとする。また、送信元ＭＡＣアドレス「Ｃ１」は、ＤＣＣ終端部１１２のＭＡＣアドレスに対応しているものとする。【００５７】
ここで、図６を用いて、Etherフレームカプセリング部１１２ｂの具体的な処理を説明する。Etherフレームカプセリング部１１２ｂは、設定情報を参照して、監視制御情報の宛先がGroup１に属しているのかGroup２に属しているのかを判定する（例えば、監視制御情報は、宛先となるGroupの情報を含んでいるものとする）。【００５８】
Etherフレームカプセリング部１１２ｂは、監視制御情報の宛先がGroup１に属している場合、すなわち、自身の伝送装置１００と同一のグループに属している場合には、監視制御情報を終端すると判定し、判定結果に応じてEtherフレームを作成する。具体的には、Etherフレームに図６の１段目の宛先ＭＡＣアドレス「Ａ１」、送信元ＭＡＣアドレス「Ｃ１」、ＶＬＡＮ識別情報、タイプを設定する。なお、監視制御部１１４の運用系が故障している場合には、宛先ＭＡＣアドレスを「Ｂ１」に設定する。かかる設定のEtherフレームは、Layer2  SW部１１３を介して、監視制御部１１４に出力される。【００５９】
一方、Etherフレームカプセリング部１１２ｂは、監視制御情報の宛先となるＮＥがGroup２に属している場合、すなわち、自身の伝送装置１００と同一のグループに属していない場合には、監視制御情報をパススルーすると判定し、判定結果に応じてEtherフレームを作成する。具体的には、Etherフレームに図６の２段目の宛先ＭＡＣアドレス「Ａ２」、送信元ＭＡＣアドレス「Ｃ２」、ＶＬＡＮ識別情報、タイプを設定する。なお、装置監視制御部１６０の運用系が故障している場合には、宛先ＭＡＣアドレスを「Ｂ２」に設定する。かかる設定のEtherフレームは、Layer2  SW部１１３を介して、装置監視制御部１６０に出力される。【００６０】
Etherフレームデカプセリング部１１２ｃは、Layer2  SW部１１３からEtherフレームを取得した場合に、Etherフレームのデカプセリングを実行する処理部である。具体的に、Etherフレームデカプセリング部１１２ｃは、EtherフレームのData（図４参照）に格納された情報を抽出し、Length領域からＨＤＬＣフレームのフレーム長を読み出す。【００６１】
そして、Etherフレームデカプセリング部１１２ｃは、読み出したフレーム長分のデータをＨＤＬＣフレームから抽出し、抽出したＨＤＬＣフレームをＨＤＬＣ分割部１１２ｄに出力する。なお、Etherフレームデカプセリング部１１２ｃは、LogicalNoを参照して、Section  DCCとして光信号にＨＤＬＣフレームを挿入するか、Line  DCCとして光信号にＨＤＬＣフレームを挿入するかを判定し、判定結果をＨＤＬＣ分割部１１２ｄに出力する。【００６２】
Etherフレームデカプセリング部１１２ｃは、LogicalNoが１〜８の場合には、Section  DCCとして、光信号にＨＤＬＣフレームを挿入する（光信号のＤ１〜Ｄ３ByteにＨＤＬＣフレームを分割して挿入する）と判定し、LogicalNoが９〜１６の場合には、Line  DCCとして、光信号にＨＤＬＣフレームを挿入する（光信号のＤ４〜Ｄ１２ByteにＨＤＬＣフレームを分割して挿入する）と判定する。【００６３】
ＨＤＬＣ分割部１１２ｄは、ＨＤＬＣフレームを取得した場合に、取得したＨＤＬＣフレームを分割し、Etherフレームデカプセリング部１１２ｃの判定結果に応じて、光信号のＤ１〜Ｄ３Byteあるいは光信号のＤ４〜Ｄ１２Byteに分割したＨＤＬＣフレームを挿入し、かかる光信号を出力する処理部である。【００６４】
図１の説明に戻ると、Layer2  SW部１１３は、Etherフレームを受信した場合に、Etherフレームの宛先ＭＡＣアドレスに基づいて、Etherフレームを、ＤＣＣ終端部１１２、監視制御部１１４あるいは装置監視制御部１６０に出力する処理部（レイヤ２スイッチ）である。【００６５】
具体的に、Layer2  SW部１１３は、Etherフレームの宛先ＭＡＣアドレスが、「Ａ１」である場合には、かかるEtherフレームを監視制御部１１４に出力する。Etherフレームの宛先ＭＡＣアドレスが、「Ａ２」である場合には、かかるEtherフレームを装置監視制御部１６０に出力する。また、Etherフレームの宛先ＭＡＣアドレスが、「Ｃ１」である場合には、かかるEtherフレームをＤＣＣ終端部１１２に出力する。【００６６】
監視制御部１１４は、主信号部１１０に設定されている各種情報や、主信号部１１０の状態を監視する処理部である。また、監視制御部１１４は、Etherフレームを取得した場合に（Etherフレームに含まれる監視制御情報を取得した場合に）、主信号部１１０の状態や各種設定情報等を送信する（ＤＣＣ終端部１１２、Sonet  frame終端部１１１を介して送信する）。また、監視制御部１１４は、装置監視制御部１６０との間で各種制御情報の送受信をEtherフレームによって行う。【００６７】
装置監視制御部１６０は、伝送装置１００全体を監視制御する装置であり、例えば、各主信号部１１０〜１５０との間で各種制御情報を送受信して、主信号部１１０〜１５０の監視を行い、障害などを検出した場合には、アラームを上げる。また、装置監視制御部１６０は、パススルー対象となるEtherフレームを取得した場合には、取得したEtherフレームの出力先となる主信号部にEtherフレームを出力する。【００６８】
装置監視制御部１６０は、例えば、Etherフレームに含まれる監視制御情報の宛先と、かかる宛先に対応する宛先ＭＡＣアドレスとの対応テーブルを保持しており、かかる対応テーブルと監視制御情報の宛先とを比較して、Etherフレームの送信先となる主信号部を判定し、判定結果を基にして、Etherフレームを出力する。【００６９】
例えば、装置監視制御部１６０は、主信号部１４０から、ＮＥ２０５宛の監視制御情報を含んだEtherフレームを取得した場合には、かかるEtherフレームを主信号部１５０に出力して監視制御情報のパススルーを実現する。【００７０】
次に、本実施例にかかる伝送装置１００の受信処理について説明する。図７は、本実施例にかかる伝送装置１００の受信処理を示すフローチャートである。同図に示すように、伝送装置１００は、Sonet  frame終端部１１１が光信号を受信し（ステップＳ１０１）、光信号のOverhead  Byteを抽出し、シリアルデータに変換する（ステップＳ１０２）。そして、Sonet  frame終端部１１１は、シリアルデータ列からＨＤＬＣフレームを抽出する（ステップＳ１０３）。【００７１】
続いて、ＤＣＣ終端部１１２は、設定情報およびＨＤＬＣフレームに基づいてEtherフレームを生成し（ステップＳ１０４）、Layer2  SW部１１３が、Etherフレームの宛先が監視制御部１１４宛か装置監視制御部１６０宛かを判定する（ステップＳ１０５）。【００７２】
Etherフレームの宛先が監視制御部１１４宛である場合には（ステップＳ１０６，Ｙｅｓ）、Layer2  SW部１１３は、Etherフレームを監視制御部１１４に転送する（ステップＳ１０７）。一方、Etherフレームの宛先が装置監視制御部１６０宛である場合には（ステップＳ１０６，Ｎｏ）、Layer2  SW部１１３は、Etherフレームを装置監視制御部１６０に転送する（ステップＳ１０８）。【００７３】
このように、伝送装置１００は、ＤＣＣ終端部１１２が、監視制御情報を含んだフレームを終端するか否かを判定し、判定結果に基づいてEtherフレームの宛先を設定し、EtherフレームをLayer2  SW部１１３に出力するので、フレームの終端あるいはパススルーにかかる処理を簡素化することができる。なお、図７に示すフローチャートでは、主信号部１１０の各構成要素を用いて受信処理を説明したが、これに限定されるものではなく、同様の処理を主信号部１２０〜１５０で実行することができる。【００７４】
次に、本実施例にかかる伝送装置１００の送信処理について説明する。図８は、本実施例にかかる伝送装置１００の送信処理を示すフローチャートである。同図に示すように、伝送装置１００は、ＤＣＣ終端部１１２が、Layer2  SW部１１３からEtherフレームを受信し（ステップＳ２０１）、Etherフレームをデカプセリングする（ステップＳ２０２）。【００７５】
そして、ＤＣＣ終端部１１２は、ＨＤＬＣフレームを生成し（ステップＳ２０３）、Sonet  frame終端部１１１が、ＨＤＬＣフレームを分割し、分割したＨＤＬＣフレームを光信号のOverhead  Byte（光信号のＤ１〜Ｄ３Byteあるいは光信号のＤ４〜Ｄ１２Byte）に挿入し（ステップＳ２０４）、光信号を出力する（ステップＳ２０５）。【００７６】
このように、伝送装置１００は、Etherフレームを用いて、監視制御情報の送信を実行するので、監視制御情報の送信にかかる処理を簡素化し、主信号部にかかる負担を軽減させることができる。なお、図８に示すフローチャートでは、主信号部１１０の各構成要素を用いて送信処理を説明したが、これに限定されるものではなく、同様の処理を主信号部１２０〜１５０で実行することができる。【００７７】
上述してきたように、本実施例にかかる伝送装置１００は、各ＮＥが属するグループを示す設定情報を記憶しており、光信号を受信した場合に、設定情報を基にして、監視制御情報を終端するか否かを判定し、判定結果に応じた宛先を設定すると共に監視制御情報を含んだEtherフレームを生成する。そして、伝送装置１００は、Ethernet（登録商標）フレーム通信機能を利用して、生成されたフレームの通信経路を切り替え、各ＮＥに監視制御情報を転送するので、ＮＥを複数のグループに分割した場合であっても、終端処理にかかる負荷を分散させるという分散制御構成の利点を失わず、ＮＥ内の信号配線の複雑化を防止することができる。【００７８】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。【００７９】
また、図１に示した伝送装置１００の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【産業上の利用可能性】
【００８０】
以上のように、本発明にかかる伝送装置および伝送方法は、光ネットワーク上で監視制御部情報を送受信してエリアごとに複数のＮＥ（伝送装置）を監視制御する監視制御システム等に有用であり、特に、エリア内のＮＥを複数のグループに分けて管理する場合に適している。
【図１】
2009022412.tif 000003
【図２】
2009022412.tif 000004
【図３】
2009022412.tif 000005
【図４】
2009022412.tif 000006
【図５】
2009022412.tif 000007
【図６】
2009022412.tif 000008
【図７】
2009022412.tif 000009
【図８】
2009022412.tif 000010
【図９】
2009022412.tif 000011
【図１０】
2009022412.tif 000012
【図１１】
2009022412.tif 000013
【図１２】
2009022412.tif 000014
【図１３】
2009022412.tif 000015
【国際調査報告】
2009022412.tif 000016
2009022412.tif 000017